(57)【特許請求の範囲】
【請求項１】
脚の上端に設けたベースと、前記ベースの上方に配置した座部と、バックフレームに設けられた背もたれと、前記ベースに後傾動自在に左右長手の第１軸で連結された揺動部材とを備えており、前記バックフレームは前記揺動部材に固定されている、という構成であって、
前記揺動部材は単一構造であって前記第１軸の左右端部は前記揺動部材の左右外側に露出していると共に、前記揺動部材のうち前記第１軸よりも後ろ側の部位には左右外向きに露出したフレーム受け軸を設けている一方、
前記バックフレームは、前記揺動部材の左右外側に位置した左右一対の前向きアーム部を備えており、前記左右両前向きアーム部に、前記第１軸の露出部に後ろから嵌まる前向き開口溝と、前記フレーム受け軸に上から嵌入する下向き開口溝とが形成されている、
ロッキング椅子。
【請求項２】
前記バックフレームにおける左右一対の前向きアーム部には、前記揺動部材に重なるジョイント部が一体に設けられており、前記ジョイント部を揺動部材にねじで固定している、
請求項１に記載したロッキング椅子。
【請求項３】
前記揺動部材は上板と左右の側板とを有する背面視下向き開口コの字形に形成されており、前記揺動部材の上板と前記ベースとの間には、ロッキングに対して抵抗を付与する弾性手段とこれに揺動部材の押圧力を伝える押圧部材とが配置されている、
請求項１又は２に記載したロッキング椅子。
【請求項４】
前記バックフレームの前記ジョイント部は前記揺動部材に被さるように上板と左右側板とを有する正面視略コの字形の形態を成しており、前記バックフレームにおけるジョイント部の上板と前記揺動部材の上板とをねじで締結している、
請求項２又は３に記載したロッキング椅子。
【発明の詳細な説明】
【技術分野】
【０００１】
本願発明は、ロッキング椅子に関するものである。
【背景技術】
【０００２】
ロッキング椅子は、背もたれの後傾動をばねやゴム等の弾性手段で支持している。背もたれは後傾動する背支持装置に設けられており、背支持装置はベースに左右横長の軸で連結されていることが多い。背支持装置の形態は様々であり、全体を樹脂やアルミダイキャストで一体成形しているものもあるが、全体を一体化すると加工コストが嵩む等の問題があるため、ベースに揺動部材を左右横長の軸で連結し、揺動部材にバックフレームをねじで固定していることが多い。すなわち、背支持装置を揺動部材とバックフレームとで構成していることが多い。
【０００３】
その一例として特許文献１には、ベースに左右一対の揺動部材（腕杆）を枢支軸で連結し、左右揺動部材の後端部にピン状の突部を設ける一方、バックフレーム（背凭れフレーム）は左右に分離した前向きアーム部（前向き杆）を有する構成として、前向きアーム部の前端部には枢支軸の先端部に下方から嵌合する前部凹溝を形成し、前向きアーム部のうち後ろ寄りの部位には揺動部材の突部に上方から嵌まる後部凹溝を形成し、前向きアーム部の前端部を左右横長のビスで枢支軸に固定する、といった構成が開示されている。
【先行技術文献】
【特許文献】
【０００４】
【特許文献１】特開２００８−１１９２５１号公報
【発明の概要】
【発明が解決しようとする課題】
【０００５】
特許文献１において、バックフレームを取り付けるには、バックフレームを大きく前傾させた姿勢にして先ず後部凹溝を揺動部材の凸部に上方から嵌め込み、次いで、突部を支点にしてバックフレームを起こすことで前部凹溝を枢支軸の左右両端に下方から嵌め込み、それからビスを枢支軸にねじ込む、という手順を経ることになる。しかして、この取付け工程では、バックフレームはいったん大きく前傾させてから起こすという作業をせねばならないため、作業に無駄があった。
【０００６】
また、椅子では背もたれに後ろから強い外力が掛かることがあるが、この場合、バックフレームはその前部凹溝を枢支軸から抜け出るように作用することになるため、荷重はすべてねじで受けることになり、このため強度的な不安があった。枢支軸の端部はねじがねじ込まれるタップ穴を空けていることによって強度が低くなっているため、強度的な問題が強く懸念される。
【０００７】
本願発明はこのような現状を改善すべく成されたものである。
【課題を解決するための手段】
【０００８】
本願発明の椅子は、脚の上端に設けたベースと、前記ベースの上方に配置した座部と、バックフレームに設けられた背もたれと、前記ベースに後傾動自在に左右長手の第１軸で連結された揺動部材とを備えており、前記バックフレームは前記揺動部材に固定されている、という基本構成になっている。
【０００９】
そして、請求項１の発明では、上記基本構成において、前記揺動部材は単一構造であって前記第１軸の左右端部は前記揺動部材の左右外側に露出していると共に、前記揺動部材のうち前記第１軸よりも後ろ側の部位には左右外向きに露出したフレーム受け軸を設けている一方、前記バックフレームは、前記揺動部材の左右外側に位置した左右一対の前向きアーム部を備えており、前記左右両前向きアーム部に、前記第１軸の露出部に後ろから嵌まる前向き開口溝と、前記フレーム受け軸に上から嵌入する下向き開口溝とが形成されている。
【００１０】
また、請求項２の発明は、請求項１において、前記バックフレームにおける左右一対の前向きアーム部には、前記揺動部材に重なるジョイント部が一体に設けられており、前記ジョイント部を揺動部材にねじで固定している。
【００１１】
請求項３の発明は、前記揺動部材は上板と左右の側板とを有する背面視下向き開口コの字形に形成されており、前記揺動部材の上板と前記ベースとの間には、ロッキングに対して抵抗を付与する弾性手段とこれに揺動部材の押圧力を伝える押圧部材とが配置されている。
更に請求項４の発明では、前記バックフレームの前記ジョイント部は前記揺動部材に被さるように上板と左右側板とを有する正面視略コの字形の形態を成しており、前記バックフレームにおけるジョイント部の上板と前記揺動部材の上板とをねじで締結している。
【発明の効果】
【００１２】
本願発明では、バックフレームを取付けるに際しては、本来の姿勢よりも前側に倒した姿勢でこれを後ろから前に移動させることで先ず前向き開口溝を第１支軸の露出部に嵌め込み、次いで、第１軸を支点にしてバックフレームを後傾させることで下向き開口溝をフレーム受け軸に嵌め込み、それからバックフレームをビス等で揺動部材に固定したら良い。そして、本願発明ではバックフレームを揺動部材にセットするに際しては、前向き開口溝を枢支軸に嵌め込んでから後傾させるという作業で足り、特許文献１のようにいったん前傾させてから再び戻すという手順を踏む必要はないため、バックフレームの取付け能率を向上することができる。
【００１３】
また、本願発明では、第１軸には前向き開口溝を後ろから嵌め込んでいるため、背もたれに対して前から作用した荷重は前向き開口溝の下面が第１軸に当たることで支持され、背もたれに対して後ろから作用した荷重は前向き開口溝の上面が第１軸に上から当たることで支持される。このように、背もたれに後ろから荷重が掛かっても第１軸で前向きアーム部がしっかりと支持されることと、第１軸にはタップ穴を空ける必要がなくて第１軸自体の強度低下がないこととにより、背もたれに後ろから荷重が掛かったときの支持強度も高く保持できる。
【００１４】
特許文献１では左右の前向きアーム部（前向杆）は互いに分離しているため、バックフレームの全体の剛性を高くし難いという問題がある。特に、人が着座した状態で背もたれに横から外力が掛かったときのようなねじり力に対する剛性が低いという問題がある。これに対して請求項２のように左右の前向きアーム部をジョイント部で連結すると、バックフレームの剛性を格段に向上できる利点がある。
【００１５】
更に、請求項４の構成を採用すると、バックフレームを揺動部材に固定するためのねじをロッキング用の弾性手段用押圧部材の締結に兼用できるため、それだけ部材点数を減らして全体の構成を簡素化することができる。
【図面の簡単な説明】
【００１６】
【図１】（Ａ）は実施形態に係る椅子の部分斜視図、（Ｂ）は側面視図である。
【図２】分離斜視図である。
【図３】分離斜視図である。
【図４】下方から見た分離図である。
【図５】分離斜視図である。
【図６】（Ａ）は弾力調節機構の部分的な分離斜視図、（Ｂ）はバックフレームの取付け構造を示すための分離斜視図である。
【図７】側断面図である。
【図８】（Ａ）は要部の分離背面図、（Ｂ）は座受け体の部分斜視図である。
【図９】分離側面図である。。
【図１０】（Ａ）は上カバーの斜視図、（Ｂ）は上カバーとベースとの分離斜視図である。
【図１１】リア連結部の周辺を下方から見た斜視図である。
【図１２】ストッパーの装着態様を説明するための図で、（Ａ）は分離斜視図、（Ｂ）は分離平面図である。
【図１３】ストッパーの装着態様を説明するための図で、（Ａ）は破断した状態での分離斜視図、（Ｂ）は側断面図である。
【図１４】（Ａ）は図７の部分拡大図、（Ｂ）はフロントリンクを裏返した状態ての斜視図である。
【図１５】（Ａ）（Ｂ）ともフロントリンクの破断斜視図である。
【図１６】（Ａ）はフロントリンクと座受け体との嵌め合いを示すための断面図、（Ｂ）はフロントリンクと座受け体とを嵌め合わせた状態での断面図である。
【図１７】（Ａ）はフロントリンクと座受け体との分離斜視図、（Ｂ）はフロントリンクとベースとの分離斜視図である。
【発明を実施するための形態】
【００１７】
次に、本願発明の実施形態を図面に基づいて説明する。本実施形態は、事務用等に使用される回転椅子に適用している。以下の説明及び請求項で方向を特定するため「前後」「左右」の文言を使用しているが、この文言は、椅子に普通の姿勢で着座した人が向いた方向を前として定義している。正面視は着座者と相対向した方向から見たものである。
【００１８】
(1).椅子の概要
図１に示すように、椅子は、脚支柱（ガスシリンダ）１のみを表示した脚装置、脚支柱１の上端に固定したベース２、ベース２の上方に配置した座体３、着座した人がもたれ掛かり得る背もたれ４を有している。なお、ベース２には、オプション品として肘掛け装置を取り付けることができる。
【００１９】
図２から理解できるように、座体３は、合成樹脂製の座板（座インナーシェル）５とその上面に重ね配置したクッション材６とを有しており、クッション材６にはクロス等の表皮材が張られている。また、座板５は、合成樹脂製の座受け体（座アウターシェル）７に前後移動調節可能に取り付けられている。従って、本実施形態では、座体３と座受け体７とで座部８が構成されている。
【００２０】
図２に示すように、背もたれ４は、合成樹脂製のバックフレーム１０とその前面に固定した合成樹脂製の背板１１とを備えている。背板１１は横長の穴が多段に空いた横縞状に形態になっており、これにメッシュ等の表皮材１２が張られている。背板１１の前面にクッション材を配置することもある。この場合は、クッション材は袋状の表皮材で覆われる。バックフレーム１０は、上下長手の左右サイドフレーム１３と、その上端を繋ぐアッパーフレーム１４と、左右サイドフレーム１３の下端を繋ぐロアフレーム１４とを有しており、左右サイドフレーム１３とアッパーフレーム１４とに背板１１が固定されている。
【００２１】
バックフレーム１０は、サイドフレーム１３から一連に延びる左右の前向きアーム部１６を有しており、左右の前向きアーム部１６には、上板１７ａと左右側板１７ｂとを有するジョイント部１７が一体に繋がっている。ベース２の後部には、金属板製の揺動部材１８が左右長手の第１軸１９によって傾動自在に連結されており、揺動部材１８に、バックフレーム１０のジョイント部１７がビスで固定されている。第１軸１９の左右端部は、揺動部材１８の外側に露出している。
【００２２】
従って、本実形態では、揺動部材１８及びバックフレーム１０の前向きアーム部１６とジョイント部１７とによって背支持装置が構成されており、背もたれ４は第１軸１９を中心にして傾動する。バックフレーム１０の左右前向きアーム部１６はジョイント部１７で一体に連結されているため、バックフレーム１０は樹脂製であっても高い剛性を有している。
【００２３】
揺動部材１８には、側面視傾斜姿勢で前方及び上方に延びるサポートアーム１８ａが一体に設けられており、左右サポートアーム１８ａの先端に、リア係合ピン２０を挿通している。そして、例えば図５や図８（Ｂ）に示すように、座受け体７の下面にはリア係合ピン２０に後ろから引っ掛かり嵌合する左右一対のリア係合爪２１が一体成形されている。このため、背もたれ４が後傾すると座受け体７及び座体３は後ろに引っ張られる。
【００２４】
他方、例えば図５に示すように、ベース２は金属板製であって、左右の側板２ａを有する上向き開口の箱状の形態を成しており、その前部に左右横長の第２軸２２を取り付けて、この第２軸２２に単一構造のフロントリンク２３を回動自在に連結し、かつ、フロントリンク２３の上端は、座受け体７に形成した上雌形嵌合部２４に回動可能に嵌入している。従って、着座した人が背もたれ４に凭れ掛かると、揺動部材１８で座受け体７が後ろに引っ張られ、これに伴ってフロントリンクが回動して座部８は上昇しながら後退する。
【００２５】
図５や図１０（Ａ）に示すように、ベース２には上から上カバー２５が装着されており、リア係合ピン２０は上カバー２５で支持されている。また、ベース２は下方から下カバー２６で覆われている。ベース２の後部には、回転式レバー装置２７と背面カバー２８とを有する制御ユニット２９が配置されている。この制御ユニット２９により、ロッキングに対する抵抗の切り換えと、ロッキング可能状態とロッキング不能状態との切り換えが行われる。
【００２６】
(2).ベース２と揺動部材１８とバックフレーム１０との関係
以下、各部の詳細を説明する。まず、ベース２と揺動部材１８とバックフレーム１０との関係を説明する。既述のとおりベース２は上向きに開口した箱型の形態であり、例えば図５及び図７に示すように、ベース２の内部のうち略中央部に側断面下向き開口コの字型の第１インナーブラケット３１を溶接しており、このインナーブラケット３１とベース２の底板とにブッシュ３２を固着し、このブッシュ３２に脚支柱１を下方から嵌着している。
【００２７】
第１インナーブラケット３１には上向き開口コの字形の第２インナーブラケット３３が固着されており、両インナーブラケット３１，３３で囲われた空間に肘掛け装置の基端部が横方向から挿入されるようになっている。第２インナーブラケット３３の左右両端部は、ベース２の外側に露出していてその先端に下向き片３３ａを形成しており、下向き片３３ａに肘掛け装置の基端部がビスで締結される。
【００２８】
下カバー２６の側板２６ａには肘掛け装置の基端部が嵌まる穴３４が空いており、この穴３４は着脱自在な蓋板３５で塞がれている。また、下カバー２６における側板２６ａの前部には、第２軸２２を抱持する挟持溝穴３６が形成されている。
【００２９】
揺動部材１８は上板と左右側板１８ｂとを有する基本形態であり、左右側板１８ｂでベース２を外側から囲い、ベース２の左右側板２ａと揺動部材１８の左右側板１８ｂとに第１軸１９が貫通している。第１軸１９はブッシュを介してベース２に取り付けている。揺動部材１８のサポートアーム１８ａは側板１８ｂから延びている。
【００３０】
揺動部材１８における左右側板の後部には、左右長手のフレーム受け軸３７が挿通している。フレーム受け軸３７の左右両端部は揺動部材１８の外側に露出している。他方、例えば図４に示すように、バックフレーム１０の前向きアーム部１６はある程度の左右巾を有する厚肉状になっており、左右前向きアーム部１６の先端には第１軸１９の露出端部に嵌入する前向き開口溝３８が形成されており、更に、前向き開口溝３８よりも後ろの部位には、フレーム受け軸３７の先端部に上方から嵌まる下向き開口溝３９が形成されている。
【００３１】
両開口溝３８，３９は左右外側には開口しておらず、従って、第１軸１９とフレーム受け軸３７とは前向きアーム部１６によって左右抜け不能に保持されている。このため、第１軸１９及びフレーム受け軸３７にはスナップリングのような抜け止め手段は必要ない。
【００３２】
図６（Ｂ）から容易に理解できるように、バックフレーム１０のジョイント部１７は揺動部材１８に上から重なっており、更に、揺動部材１８の下面には樹脂製の押圧部材４１が重なっている。そして、ジョイント部１７の上面板１７ａと揺動部材１８の上面板とをビス（ねじ）４０で締結している。押圧部材４１は揺動部材１８の下面に固定式ゴム４４の反発力で当接しており、揺動部材１８と押圧部材４１とには、突起と穴とからなる位置決め手段を講じている。
【００３３】
図６（Ａ）に示すように、押圧部材４１とベース２との間には、弾性体の一例としての左右一対の固定式ゴム４４が介在しており、固定式ゴム４４はベース２に取り付けた受け部材４５に装着されている。非着座状態でも、固定式ゴム４４は押圧部材４１で圧縮されている。すなわち、固定式ゴム４４にはプリテンションが掛かっている。
【００３４】
既述のとおり（図３参照）、制御ユニット２９は、回転式レバー装置２７とこれが取り付いた背面カバー２８とで構成されている。背面カバー２８は左右の側板２８ａを有しており、左右の側板２８ａに、背面カバー２８をフレーム受け軸３７に取り付けるための挟持部２８ｂが前向き開口している。図５に示すように、背面カバー２８は揺動部材１８の後部上面に重なる庇部２８ｃを有しており、庇部２８ｃが模式的に線のみで示すビス４２で揺動部材１８に固定されている。
【００３５】
回転式レバー装置２７は、中心軸４６と外筒４７とを有している。中心軸４６はロッキングの硬さを調節するためのものであり、その一端部は外筒４７の外側にはみ出しており、ここに強弱調節レバー４８を設けている。他方、外筒４７はロッキング可能状態とロッキング不能状態とに切り換えるためのものであり、その一端部にロックレバー４９を設けている。
【００３６】
揺動部材１８の側板１８ｂには、回転式レバー装置２７が嵌まる逃がし溝５０を後ろ向きに開口させている。図５に示すように、回転式レバー装置２７の外筒４７には下向きに突出したロック体５１を設けており、ロックレバー４９に指を掛けて外筒４７を回転させると、ロック体５１は、殆どロッキングしないようにベース２の後端縁に当接するロック姿勢と、ベース２の後端縁に当たらずにロッキングが許容されるフリー姿勢とに切り換わる。
【００３７】
なお、ロックレバー４９を３つの姿勢に切り換えできるようにして、背もたれ４が殆ど後傾しない完全なロック状態と、背もたれ４が最大後傾角度の半分程度回動する中間ロック状態と、背もたれ４が最大ストロークだけ回動するフリー状態とに切り換わるように設定することも可能であり、更に、４段階以上の切り換えも可能であり、これらの切り換えはロック体５１又はベース２（若しくは両方）に複数の段部を形成することで実現できる。
【００３８】
他方、図６（Ａ）に示すように、中心軸４６には、当該中心軸４６を回転させると軸方向に移動するスライダー５２が取り付けられており、スライダー５２に可動ゴム５３を取り付けて、スライダー５２を左右移動させると、可動ゴム５３が受け部材４５の段部４５ａを介してベース２で支持されている強状態と、可動ゴム５３が受け部材４５で支持されない（圧縮されずに自由に回動する）弱状態とに切り換わようになっている。つまり、可動ゴム５３がロッキングに際して抵抗として作用したり作用しなかったりすることにより、ロッキングの硬さが２段階に切り換えられる。
【００３９】
(2).座部８と上カバー２５と揺動部材１８との関係
次に、座部８と上カバー２５と揺動部材１８との関係を説明する。図２を参照して既に説明したとおり、座部８は座体３と座受け体７とで構成されている。
【００４０】
本願発明との関係は薄いので詳細は省略するが、座板５はある程度の寸法だけ前後スライドするように座受け体７に装着されており、座受け体７の右側部に設けたレバー（図示せず）を引っ張るとスライド可能なフリー状態になり、レバーがばねによって戻るとスライド不能なロック状態になる。図１２において、座受け体７の左右両側部に２対ずつのガイド爪５４が上向きに突出しているが、これら４個のガイド爪５４が座板５に形成した長溝に上向き抜け不能に嵌まることにより、座体３は前後スライド可能に保持される。
【００４１】
図５及び図８（Ｂ）を参照して触れたように、座受け体７のうち後ろ寄り部位の下面には、座受け体７と揺動部材１８とを連結するリア連結部の一例として、側面視で前向き鉤状の左右一対のリア係合爪２１が一体に設けられている。リア係合爪２１の左右外側にはサイド突壁５５が下向き突設されており、このサイド突壁５５がストッパーになってリア係合ピン２０は抜け不能に保持されている。
【００４２】
図５及び図８（Ｂ）に示すように、左右のサイド突壁５５にはフロント突壁５６が一体に連続している。
【００４３】
ロッキングするとリア係合ピン２０がリア係合爪２１によって後ろに引っ張られるが、ロッキングの戻り時にリア係合ピン２０で座受け体７を前に押さねばならない。そこで、例えば図１１〜１３に示すように、座受け体７に、リア係合ピン２０を前後相対動不能に保持するためのストッパー５７を装着している。
【００４４】
このストッパーは、側面視で略Ｔ形の形態を成しており、下端には上向きに鉤状の係止片５７ａが前向きに突設されている。係止片５７ａは本体部よりも左右巾が大きくなっており、かつ、左右外側部には、指先等を引っ掛けできるようにするため、前向きに開口した凹み５７ｂを形成している。
【００４５】
図１２及び図１３に示すように、座受け体７には、ストッパー５７を上方から差し込み装着する収納穴６０が形成されている。収納穴６０は、ストッパー５７の平面視形態に合わせて平面視略Ｌ形になっており、かつ、ストッパー５７の上部を受けて落下不能に保持する支持部６１を形成している。そして、図１１に明示するように、座受け体７におけるフロント突壁５６の左右両側部には、ストッパー５７の係止片５７ａが下方から引っ掛かり係合するストッパー受け部６２を下向きに突設している。
【００４６】
例えば図１０（Ａ）に示すように、上カバー２５には、リア係合ピン２０を受ける左右一対のピン受け部６４が形成されている。ピン受け部６４は、リア係合ピン２０を広い面積で受けるように（面接触するように）上向き凹状に凹んでいる。また、ピン受け部６４の左右内側は凹所６５になっている。
【００４７】
上カバー２５には、ピン受け部６４を左右から囲う上向き側壁６６と、左右上向き側壁６６の前端に一体に連続した上向き前壁６７と、左右の上向き側壁６６の後端に一体に連続した上向き後ろ壁６８とが突設されている。図７に示すように、上カバー２５の上向き前壁６７の前側に座受け体７のフロント突壁５６が近接した状態で配置されている。
【００４８】
更に、例えば図１０に、上カバー２５における上向き後ろ壁６８の内端には、上向き前壁６７に向けて突出した上向き内壁６９を設けている。
【００４９】
上カバー２５は左右の側板２５ａを有しており、この上カバー２５における左右側板２５ａの前端部と後端寄りとの２カ所の部位に、薄肉状の下向き位置決め片７０を設けて、この下向き位置決め片７０を、下カバー２６における側板２６ａの上端面に形成した位置決め溝（図示せず）に嵌め込んでいる。
【００５０】
図１０（Ｂ）に示すように、上カバー２５には、左右一対の前係合爪７１と左右一対の後ろ係合爪７２とを下向きに突設している。前係合爪７１は側面視で後ろ向き鉤形になっており、後ろ係合爪７２は側面視で前向き鉤形になっている。
【００５１】
他方、ベース２には左右一対の内向きフランジ２ｂが形成されており、上カバー２５の前係合爪７１はベース２における内向きフランジ２ｂの前端縁に引っ掛っている。また、ベース２に設けた第１インナーブラケット３１には左右一対の起立片３１ａを曲げ形成し、この起立片３１ａの上水平部で上カバー２５を支持すると共に、上カバー２５の後ろ係合爪７２を起立片３３ａの後端縁に係合させている。
【００５２】
上カバー２５には後ろ向きに開口した平面視Ｕ形の溝７３が形成されているが、これは、脚支柱１のプッシュバルブを押圧操作するロッド７４（図７参照）との干渉を回避するためのものである。ロッド７４は、例えば図２や図３に示す昇降操作レバー７５で操作される。
【００５３】
(3).フロントリンク２３とベース２との関係
次に、フロントリンク２３とベース２との連結構造を説明する。例えば図１７（Ｂ）に示すように、フロントリンク２３の下端部には、ベース２の内部において第２軸２２に嵌まる下インナー雌形嵌合部７８と、ベース２の外側において第２軸２２に嵌まる下サイド雌形嵌合部７９とを設けている。
【００５４】
下インナー雌形嵌合部７８と下サイド雌形嵌合部７９との間には、ベース２の側板２ａに当たらないように切り開き溝８０が形成されている。左右のサイド軸受け溝部７９は（図１７参照）を有していて袋状になっており、この外壁７９ａによって第２軸２２は左右抜け不能に保持されている。
【００５５】
両下雌形嵌合部７８，７９は第２軸２２に嵌脱するように断面Ｕ形になっており、下インナー軸受け溝部７８に左右一対の軸受けブッシュ８１を装着している。軸受けブッシュ８１は摩擦係数が小さくて耐磨耗性が高い樹脂で製造されており、図１４（Ａ）及び図１７に明瞭に示すように、その開口縁に係合爪８２を形成し、この係合爪８２を下インナー軸受け溝部７８に形成した係合穴８３に弾性に抗して嵌め込んでいる。
【００５６】
軸受けブッシュ８１は側面視Ｕ形であるため、第２軸２２には、上方からの嵌め込みによってワンタッチで装着できる（後傾姿勢で嵌め込むことも可能である。）。図１４に示すように、ベース２の前端部は側断面視で前向き凸状に緩くカーブした前壁２ｃになっている一方、フロントリンク２３のうち下インナー軸受け溝部７８の裏側には、ベース２の前壁２ｃに近接した規制リブ８４が複数枚形成されている。
【００５７】
例えば図１４に明示するように、フロントリンク２３には、上雌形嵌合部２４に近い半分程度と第２軸２２に近い半分程度とに仕切る中間底板９３が形成されており、中間底板９３を挟んで上雌形嵌合部２４に近い上半分は、使用状態で略上向きに開口した上空所Ｓ３が空き、中間底板９３を挟んで第２軸２２に近い下半部は、中間底板９３と背面板９６と雌形嵌合部７８，７９とで囲われて下向き開口（鉛直姿勢にすると前向き開口）の下空所Ｓ４が空いている。
【００５８】
フロントリンク２３の中間底板９３とベース２の前板２ｃとの間には、下空所Ｓ４の一部である空間が存在している。更に、ベース２における前板２ｃの状態には、前向きフランジ２ｄを形成している。
【００５９】
(3).フロントリンク２３と座受け体７との関係
次に、フロントリンク２３と座受け体７との連結構造を説明する。例えば図１７（Ａ）に示すように、座受け体７の前部には、前連結部の一例として、左右横長で下向きに開口した上雌形嵌合部２４を下向きに突設している。他方、フロントリンク２３の上端部には、上連結部の一例として、座受け体７の上雌形嵌合部２４に嵌入するボス部８６を一体に設けている。
【００６０】
上雌形嵌合部２４はその左右両側部が断面Ｕ形の軸受け部８７になっており、左右軸受け部８７の間は上下に貫通している。そして、上雌形嵌合部２４のうちその前部２４ａには、左右軸受け部８７の間において左右方向に延びる前規制突起８８が溝内に突出するように形成されている。一方、上雌形嵌合部２４のうちその後部２４ｂには、その左右中間部において溝の内部に向いた側面視鉤形の係合爪８９と、係合爪８９と左右軸受け部８７と間に位置して溝内に向いた左右一対の後ろ規制突起９０とが形成されている。
【００６１】
他方、図１５に示すように、フロントリンク２３のボス部８６は基本的には角柱に近い形態を成しており、その左右両側部には、座受け体７の左右軸受け部８７と面接触する円弧状部９１が形成されている。ボス部８６は左右側板２３ａで支持された両端支持の状態になっており、フロントリンク２３を鉛直姿勢にした状態でボス部８６の手前に位置する部位には、前カバー部９２がボス部８６とある程度の間隔を空けて形成されている。
【００６２】
フロントリンク２３の左右側板２３ａは上雌形嵌合部２４の左右外側に位置しており、このためフロントリンク２３は左右動不能に保持されている。また、ボス部８６には、左右中間部を挟んで一対の補強リブ９４が一体に繋がっている。補強リブ９４は、前カバー部９２と中間底板９３とに繋がっている。
【００６３】
図１５に示すように、ボス部８６には、その軸心と直交した方向に開口した多数の溝穴９５が空いている。図１４に示すように、フロントリンク２３における前カバー部９２の先端と上雌形嵌合部２４の前部下端との間に、隙間Ｓ２が存在している。
【００６４】
(4).まとめ
以上の構成において、椅子の組み立ては概ね次の手順で行われる。すなわち、
1)脚支柱にベース２を固定する、
2)第２軸２２や上カバー２５をベース２に取り付ける、第１軸１９で揺動部材１８をベース２に連結する、制御ユニット２９を後ろから嵌め込む、
3)バックフレーム１０を、まずその前向き開口溝３８をフレーム受け軸３７に後ろから挿入し、次いで下向き開口溝３９をフレーム受け軸３７に嵌め込む、という手順で揺動部材１８にセットし、それからビス４０で固定する、
4)バックフレーム１０を後傾させることで固定式ゴム４４を圧縮させ、その状態でリア係合ピン２０を揺動部材１８のサポートアーム１８ａに挿入し、それからバックフレーム１０を戻して、リア係合ピン２０を上カバー２５のピン受け部６４に当接させる（この状態では固定式ゴム４４は少し圧縮しているため、リア係合ピン２０はピン受け部６４に強く当接し、ロッキングに際してのプリテンションが効いている。）、
5)座受け体７には予めフロントリンク２３を連結しておき、まず、フロントリンク２３を略鉛直姿勢にすることで下雌形嵌合部７８，７９を第２軸２２に嵌め込み、それからリア係合爪２１をリア係合ピン２０に後ろから引っ掛け係合させる、
6)ストッパー５７を装着し、次いで、座受け体７に座体３を取り付ける、
という手順で組み立てられる。背もたれ４の取り付けは座体３の取り付け後に行ってもよいし、後で行ってもよい。
【００６５】
そして、既述のとおり、バックフレーム１０は、その前向き開口溝３８をフレーム受け軸３７に後ろから挿入してから下向き開口溝３９をフレーム受け軸３７に嵌め込む、という手順で取り付けられるため、バックフレーム１０の取り付け作業も簡単に行える。また、ジョイント部１７と揺動部材１８と互いに嵌まり合うコの字形になっているため、揺動部材１８とバックフレーム１０とは互いに補強し合って全体として高い剛性が保持されている。
【００６６】
(6).その他
本願発明は、上記の実施形態の他にも様々に具体化できる。例えば、ロッキングに際して座部が上昇及び後退動しない椅子に適用できることはいうまでもない。背もたれは、必ずしもバックフレームの一部を共用する必要はない。
【００６７】
また、適用対象となる椅子は回転椅子に限定されるものではなく、会議用椅子のような非昇降式の椅子や劇場用椅子のような固定式椅子にも適用可能である。座板に、上雌形嵌合部やリア係合爪のような連結部を設けることも可能である。弾性手段としはてコイルスプリングのようなばねを使用することも可能である。
【産業上の利用可能性】
【００６８】
本願発明は、椅子に具体化してその有用性が発揮される。従って産業上利用できる。
【符号の説明】
【００６９】
１  脚支柱（ガスシリンダ）
２  ベース
３  座体
４  背もたれ
７  座受け体
８  座部
１０  バックフレーム
１６  バックフレームの前向きアーム部
１８  揺動部材
１８ｂ  揺動部材の側板
１９  第１軸
１７  ジョイント部
３８  前向き開口溝
３９  下向き開口溝
４０  ビス（ねじ）
４１  押圧部材
４４，５３  弾性手段の一例としてのゴム
【図１】
0005538817.tif 000002
【図２】
0005538817.tif 000003
【図３】
0005538817.tif 000004
【図４】
0005538817.tif 000005
【図５】
0005538817.tif 000006
【図６】
0005538817.tif 000007
【図７】
0005538817.tif 000008
【図８】
0005538817.tif 000009
【図９】
0005538817.tif 000010
【図１０】
0005538817.tif 000011
【図１１】
0005538817.tif 000012
【図１２】
0005538817.tif 000013
【図１３】
0005538817.tif 000014
【図１４】
0005538817.tif 000015
【図１５】
0005538817.tif 000016
【図１６】
0005538817.tif 000017
【図１７】
0005538817.tif 000018